(57)【要約】【課題】外観上の品位が高められたカメラを提供する。【解決手段】前カバー４０を構成する第２の前カバー部材４２の係止突起４２＿１を回路基板５０の位置決め穴５４に挿入するとともに係止突起４２＿２，４２＿３を回路基板５０の縁に係止し、且つ押圧部材４２＿４，４２＿５で回路基板５０をカメラ内部側に押圧し、さらに位置決め部材４２＿６，４２＿７および爪部材４２＿８で第１の前カバー部材４１との位置決めおよび固定を行なう。【選択図】        図８
2004333519.tif 000002
【特許請求の範囲】
【請求項１】
被写体光を捉えることにより撮影を行なうカメラにおいて、
前カバーと、該前カバーで覆われた回路基板とを有し、
前記前カバーが、前記回路基板を覆う部分に開口を有する第１の前カバー部材と、前記開口内に入り込んで前記回路基板を位置決めする係止突起を有し前記第１の前カバー部材に固定された第２の前カバー部材を有することを特徴とするカメラ。
【請求項２】
前記回路基板に搭載された発光体を備え、前記第１の前カバー部材は少なくとも前記発光体の部分および前記係止突起の部分が開口し、前記第２の前カバー部材は、前記発光体の光を透過する透光性材料からなるものであることを特徴とする請求項１記載のカメラ。
【請求項３】
前記回路基板と前記前カバーとの間に絶縁性のスペーサを有することを特徴とする請求項１又は請求項２記載のカメラ。
【発明の詳細な説明】
【０００１】
【発明の属する技術分野】
本発明は、被写体光を捉えることにより撮影を行なうカメラに関する。
【０００２】
【従来の技術】
従来より、開口を有する前カバーと、その前カバーで覆われるとともにその開口から光を出射するＬＥＤ等の発光体が搭載された回路基板を備えたカメラが知られている。このようなカメラは、例えば電源投入時等に所定のタイミングで上記発光体を発光させることにより光の演出を行なうイルミネーション機能や、シャッタレリーズ時やセルフタイマ設定時等に上記発光体を発光させる機能を有する。
【０００３】
【発明が解決しようとする課題】
上述したカメラにおいて、通常考えられる構造としては、発光体が搭載された回路基板はカメラ本体に固定される。このとき、回路基板は所定の取り付け誤差を持ってカメラ本体に固定されることになる。また、開口を有する前カバーも所定の取り付け誤差を持って上記回路基板を覆うようにしてカメラ本体に固定される。このように、上記回路基板と上記前カバーとはカメラ本体にそれぞれ所定の取りつけ誤差を持って固定されると、上記回路基板に搭載された発光体と、上記前カバーが有する開口との位置ずれが発生する場合がある。すると、発光体に対する開口としての表示窓の偏心が発生することとなり、カメラにおける外観上の品位を損ねるという問題がある。
【０００４】
本発明は、上記事情に鑑み、外観上の品位が高められたカメラを提供することを目的とする。
【０００５】
【課題を解決するための手段】
上記目的を達成する本発明のカメラは、被写体光を捉えることにより撮影を行なうカメラにおいて、
前カバーと、その前カバーで覆われた回路基板とを有し、
上記前カバーが、上記回路基板を覆う部分に開口を有する第１の前カバー部材と、上記開口内に入り込んで上記回路基板を位置決めする係止突起を有し上記第１の前カバー部材に固定された第２の前カバー部材を有することを特徴とする。
【０００６】
ここで、上記回路基板に搭載された発光体を備え、上記第１の前カバー部材は少なくとも上記発光体の部分および上記係止突起の部分が開口し、上記第２の前カバー部材は、上記発光体の光を透過する透光性材料からなるものであることが好ましい。
【０００７】
本発明のカメラは、前カバーを構成する第２の前カバー部材の係止突起で回路基板が位置決めされるとともに、その第２の前カバー部材が開口を有する第１の前カバー部材に固定されるものであるため、例えば回路基板に発光体を備えてイルミネーションランプ等の機能を実現するような場合であっても、所定の遊びを持った回路基板を上記係止突起で位置決めすることにより、それら発光体と開口との位置決めを高い精度で行なうことができる。従って、従来の、発光体が搭載された回路基板を所定の取り付け誤差を持ってカメラ本体に固定するとともに、その発光体からの光が出射する開口を有する前カバーも所定の取り付け誤差を持ってカメラ本体に固定する技術と比較し、発光体と開口との位置ずれを小さく抑えることができ、カメラにおける外観上の品位を高めることができる。
【０００８】
また、上記回路基板と上記前カバーとの間に絶縁性のスペーサを有することも好ましい態様である。
【０００９】
このようにすると、カメラの前カバーに対して静電放電が行なわれた場合であっても、回路基板に搭載された素子を保護することができる。
【００１０】
【発明の実施の形態】
以下、本発明の実施形態について説明する。
【００１１】
図１は、本発明のカメラの一実施形態を前面斜め上から見た外観斜視図である。
【００１２】
図１に示すカメラ１は、ロール状の写真フイルムに写真撮影を行なうカメラであり、このカメラ１の前面中央部には、光学ズームレンズ１１ａを内部に備えたズーム鏡胴１１が備えられている。
【００１３】
また、このカメラ１の前面上部には、リモコン受信部を構成するリモコン受信窓１２と、オートフォーカス（ＡＦ）測距部を構成する受光素子が内蔵されたＡＦ窓１３が備えられている。
【００１４】
さらに、このカメラ１の前面上部には、セルフタイマ撮影時もしくはリモコン操作時に光を発するセルフタイマ／リモコンランプ１４と、ファインダ対物窓１５と、内蔵された露出調整用のＡＥセンサに光を導くためのＡＥ受光窓１６と、撮影に同期してフラッシュ（閃光）を発するフラッシュ発光部１７とが備えられている。フラッシュ発光部１７は、ズーム鏡胴１１に備えられた光学ズームレンズ１１ａの焦点距離に応じるとともに、撮影距離にも応じて、フラッシュ発光光の被写体への照射角度が変更される構造を有する。
【００１５】
また、このカメラ１の上面には、シャッタボタン１８が備えられており、このカメラ１のシャッタボタン１８により操作されるシャッタには、撮影時に開口径が時間経過に従って広がるプログラムシャッタが採用されている。
【００１６】
さらに、カメラ１には、前カバー４０が備えられている。この前カバー４０は、カメラ１のグリップの部分に半月状の開口を有する第１の前カバー部材４１と、その開口内に入り込んで第１の前カバー部材４１に固定された第２の前カバー部材４２を有する。第２の前カバー部材４２の、ズーム鏡胴１１側には、グリップ部材４３が固定されている。尚、これら第１の前カバー部材４１，第２の前カバー部材４２，グリップ部材４３の詳細については後述する。
【００１７】
図２は、図１のカメラを背面から見た外観図である。
【００１８】
このカメラ１の背面には、裏蓋２０と、視度調節ダイヤル２１と、ファインダ接眼窓２２と、ピント合わせが完了した時に光を発するＡＦランプ２３と、電源ボタン２４とが備えられている。
【００１９】
裏蓋２０には、光学ズームレンズ１１ａをテレ側（遠距離側）あるいはワイド側（近距離側）に動作させるズームボタン２５と、フイルム確認窓２６と、電池蓋２７とが備えられている。
【００２０】
また、裏蓋２０には、液晶モニタ部２８が備えられている。この液晶モニタ部２８は、オートフラッシュや赤目軽減フラッシュ等のフラッシュモードを表示するためのフラッシュモード表示部２８ａと、セルフタイマの有無やリモコンの有無等を表示するためのセルフタイマモード表示部２８ｂと、オートフォーカス等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２１】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２２】
図３は、図１に示すカメラに備えられた前カバーと、その前カバーで覆われた回路基板を透視して示す図である。
【００２３】
図３には、前カバー４０と、その前カバー４０で覆われた三角形の形状を有する回路基板５０と、その回路基板５０の接続端子５０ａに半田接続された制御用フレキシブル基板６０とが示されている。尚、実際には、前カバー４０と回路基板５０との間には、絶縁性のスペーサが備えられているが、図面を簡単にするために、ここでは図示省略している。このスペーサについては後述する。
【００２４】
回路基板５０には、発光素子５１，５２，５３（本発明にいう発光体の一例に相当）が搭載されている。これら発光素子５１，５２，５３は、電源投入時に所定のタイミングで発光されることにより光の演出を行なうイルミネーション機能を実現するためのものである。
【００２５】
前カバー４０には、回路基板５０を覆う部分に開口４１ａを有する第１の前カバー部材４１が備えられている。この第１の前カバー部材４１にはシルバーメッキ処理が施されている。
【００２６】
また、前カバー４０には、第１の前カバー部材４１の開口４１ａ内に入り込んで回路基板５０を位置決めするための第２の前カバー部材４２が備えられている。第２の前カバー部材４２は、回路基板５０に搭載された発光素子５１，５２，５３の光を透過する透光性材料から形成されている。また、この第２の前カバー部材４２には、シルバーメッキ処理が施されたグリップ部材４３が接着剤で固定されている。以下、第２の前カバー部材４２の詳細について、図４、図５を参照して説明する。
【００２７】
図４は、第２の前カバー部材の表面側を示す図、図５は、第２の前カバー部材の裏面側を示す図である。
【００２８】
第２の前カバー部材４２は、図４に示すように、発光素子５１，５２，５３の光を透過して外部に出射するための外周部４２ａと、グリップ部材４３が固定される内周部４２ｂを有する。
【００２９】
また、第２の前カバー部材４２は、図５に示すように、回路基板５０を位置決めするために、その回路基板５０に設けられた位置決め用穴５４（図６参照）に挿入される係止突起４２＿１と、その回路基板５０の縁部に当接する係止突起４２＿２，４２＿３を有する。また、第２の前カバー部材４２は、回路基板５０をカメラ内部側に押圧するための押圧部材４２＿４，４２＿５と、第１の前カバー部材４１との位置決め用の位置決め部材４２＿６，４２＿７と、第１の前カバー部材４１との固定用の爪部材４２＿８とを有する。
【００３０】
図６は、図１に示すカメラの前カバーの一部を切り欠いて示す図である。
【００３１】
図６には、前述した位置決め用穴５４を有するとともに発光素子５１，５２，５３が搭載された回路基板５０と、それら発光素子５１，５２，５３からの光が出射される穴７１，７２，７３を有する絶縁性のスペーサ７０が示されている。
【００３２】
図７は、図６に示すカメラの、絶縁性のスペーサを取り除いた状態を示す図である。
【００３３】
図７に示す回路基板５０には、前述した発光素子５１，５２，５３および接続端子５０ａに加えてコンデンサ素子５５やトランジスタ素子５６等の回路素子が搭載されている。本実施形態のカメラ１では、前述したように、回路基板５０と前カバー４０との間に、絶縁性のスペーサ７０を有するため、前カバー４０に対して静電放電が行なわれた場合であっても、回路基板５０に搭載された上記回路素子を保護することができる。
【００３４】
図８は、図１に示すカメラの、上面側から見た断面図である。
【００３５】
図８には、シャッタボタン１８と、そのシャッタボタン１８の下部に配備されたフイルム給送室８１と、フイルム巻取用スプール８２ａが配置されたフイルム巻取室８２と、前述した前カバー４０とが示されている。前カバー４０を構成する第１の前カバー部材４１とグリップ部材４３との間には、カメラ１を握ったときに指先が入り込む窪み８３を有し、カメラ１の把持性の向上が図られている。
【００３６】
また、本実施形態のカメラ１では、前カバー４０を構成する第２の前カバー部材４２の係止突起４２＿１が回路基板５０の位置決め穴５４に挿入されて位置決めが行なわれるとともに、第２の前カバー部材４２の係止突起４２＿２，４２＿３が回路基板５０の縁にも係止されて位置決めが行なわれている。また、第２の前カバー部材４２の押圧部材４２＿４，４２＿５が回路基板５０をカメラ内部側に押圧することにより、その回路基板５０が固定されている。さらに、第２の前カバー部材４２の位置決め部材４２＿６，４２＿７（図５参照）および爪部材４２＿８で、第１の前カバー部材４１との位置決めおよび固定が行なわれている。このため、回路基板５０に搭載された発光素子５１，５２，５３と、第１の前カバー部材４１が有する開口４１ａとの位置決めが高い精度で行なわれている。また、発光素子５１，５２，５３の光を透過する透光性部材からなる第２の前カバー部材４２には、シルバーメッキ処理が施されたグリップ部材４３が固定されているため、発光素子５１，５２，５３からの漏れ光により回路基板５０に搭載されたコンデンサ素子等が見えてしまうことが防止される。従って、カメラ１における外観上の品位を高めることができる。
【００３７】
尚、本実施形態では、ロール状の写真フイルム上に写真撮影を行なう通常のカメラの例で説明したが、固体撮像素子上に被写体の像を結像して画像を信号として取り込むデジタルカメラであってもよい。
【００３８】
また、本実施形態では、電源投入時に所定のタイミングで発光素子を発光させることにより光の演出を行なうイルミネーション機能の例で説明したが、これに限られるものではなく、例えばデジタルカメラにおいてパーソナルコンピュータへのデータ転送時や充電式バッテリへの充電中に発光素子を発光させるようにしてもよい。
【００３９】
【発明の効果】
以上説明したように、本発明によれば、外観上の品位が高められたカメラを提供することができる。
【図面の簡単な説明】
【図１】本発明のカメラの一実施形態を前面斜め上から見た外観斜視図である。
【図２】図１のカメラを背面から見た外観図である。
【図３】図１に示すカメラに備えられた前カバーと、その前カバーで覆われた回路基板を透視して示す図である。
【図４】第２の前カバー部材の表面側を示す図である。
【図５】第２の前カバー部材の裏面側を示す図である。
【図６】図１に示すカメラの前カバーの一部を切り欠いて示す図である。
【図７】図６に示すカメラの、絶縁性のスペーサを取り除いた状態を示す図である。
【図８】図１に示すカメラの、上面側から見た断面図である。
【符号の説明】
１  カメラ
１１  ズーム鏡胴
１１ａ  光学ズームレンズ
１２  リモコン受信窓
１３  ＡＦ窓
１４  セルフタイマ／リモコンランプ
１５  ファインダ対物窓
１６  ＡＥ受光窓
１７  フラッシュ発光部
１８  シャッタボタン
２０  裏蓋
２１  視度調節ダイヤル
２２  ファインダ接眼窓
２３  ＡＦランプ
２４  電源ボタン
２５  ズームボタン
２６  フイルム確認窓
２７  電池蓋
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
４０  前カバー
４１ａ  開口
４１  第１の前カバー部材
４２  第２の前カバー部材
４２ａ  外周部
４２ｂ内周部
４２＿１，４２＿２，４２＿３  係止突起
４２＿４，４２＿５  押圧部材
４２＿６，４２＿７  位置決め部材
４２＿８  爪部材
４３  グリップ部材
５０  回路基板
５０ａ  接続端子
５１，５２，５３  発光素子
５４  位置決め用穴
５５  コンデンサ素子
５６  トランジスタ素子
６０  制御用フレキシブル基板
７０  スペーサ
７１，７２，７３  穴
８１  フイルム給送室
８２  フイルム巻取室
８２ａ  フイルム巻取用スプール
８３  窪み
【図１】
2004333519.tif 000003
【図２】
2004333519.tif 000004
【図３】
2004333519.tif 000005
【図４】
2004333519.tif 000006
【図５】
2004333519.tif 000007
【図６】
2004333519.tif 000008
【図７】
2004333519.tif 000009
【図８】
2004333519.tif 000010